【事件の表示】
　特願２００２−２０８６９０「パチンコ機の施錠装置」拒絶査定不服審判事件〔平成１６年　２月１９日出願公開、特開２００４−　４９３９９〕について、次のとおり審決する。
【結　論】
　本件審判の請求は、成り立たない。
【理　由】
 　
第一．手続きの経緯
　本願は、平成１４年７月１７日の出願であって、平成１９年１２月２８日付けで拒絶理由通知がなされ、これに対し、平成２０年３月７日付けで手続補正がなされ、その後、同年８月２０日付けで拒絶査定がなされ、これに対し、同年９月３０日に拒絶査定不服の審判請求がなされるとともに、同年１０月２０日付け手続補正書によって明細書の一部が補正され、その後、当審において平成２１年１１月９日付けで、前記平成２０年１０月２０日付けの手続補正が却下されるとともに拒絶理由が通知され、これに対し、平成２２年１月１５日付けで手続補正がなされたものであり、その請求項に係る発明は、上記平成２２年１月１５日付けで補正された明細書の記載からみて、その特許請求の範囲の請求項１に記載された次のとおりのものである。
　
　「【請求項１】　取付板と支持板を有する縦長の基枠体と、該基枠体の取付板に固定され、該基枠体内に位置する錠軸にカム板を取り付けてなるシリンダ錠と、本体枠側に固定された受け金具に係止されて前面枠を施錠する鉤部材を有し、該シリンダ錠による該カム板の一方向への回動に係合して該鉤部材を解錠方向に動かす前面枠施錠機構と、ガラス枠側の係止片に係止されて該ガラス枠を施錠する鉤部材を有し、該シリンダ錠による該カム板の他方向への回動に係合して該鉤部材を解錠方向に動かすガラス枠施錠機構と、を備え、該前面枠の内側に縦に取り付けられ、該本体枠に対し該前面枠を施錠し、該前面枠に対し該ガラス枠を施錠すると共に、該前面枠内の下部に開閉可能に取り付けられた前パネルを施錠するパチンコ機の施錠装置において、
　前記前面枠施錠機構は、基枠体の支持板に前面枠施錠用の鉤部材が枢支ピンにより傾動可能に枢支され、該鉤部材に設けた係合凸部には、施錠方向に付勢するコイルばねが掛止され、該鉤部材を解錠方向にのみ動かすための前面枠施錠用の作動杆が該支持板に沿って摺動可能に配設され、該作動杆には枢支ピンに係合してガイドされるガイド孔が設けられ、該作動杆の一部に前記カム板が係合可能な係合孔が設けられ、該鉤部材の該係合凸部に係合する係合部が該作動杆に設けられ、該前面枠の解錠時、該作動杆を解錠方向に移動させたとき、該係合部と該係合凸部を介して該鉤部材が回動力を受け、解錠側に傾動するように構成され、
　前記ガラス枠施錠機構は、基枠体の支持板にガラス枠用鉤部材が枢支ピンにより傾動可能に枢支され、該ガラス枠用鉤部材に設けた係合凸部には、施錠方向に付勢するコイルばねが掛止され、該ガラス枠用鉤部材を解錠方向にのみ動かすためのガラス枠用作動杆が該支持板に沿って摺動可能に配設され、該ガラス枠用作動杆には枢支ピンに係合してガイドされるガイド孔が設けられ、該ガラス枠用作動杆の一部に前記カム板が係合可能な係合孔が設けられ、該ガラス枠用鉤部材の該係合凸部に係合する係合部が該ガラス枠用作動杆に設けられ、該ガラス枠の解錠時、該ガラス枠用作動杆を解錠方向に移動させたとき、該係合部と該係合凸部を介して該ガラス枠用鉤部材が回動力を受け、解錠側に傾動するように構成され、
　前記前パネルを施錠するための２本の前パネル用鉤部材が、該基枠体の該取付板に設けたスリット孔から前方に突き出して、該基枠体の該支持板の下部内側に、枢支ピンにより独立して傾動可能に枢支され、該基枠体内に前パネル用鉤部材を解錠方向にのみ動かすための前パネル用作動杆が摺動可能に配設され、該前パネル用鉤部材には施錠側に付勢するコイルばねが掛止され、該前パネル用作動杆の一部に操作部が設けられ、該前面枠内の下部に開閉可能に取付けられた前パネル側に係止片が設けられ、該前パネル用鉤部材が該係止片に係止されて該前パネルが施錠されることを特徴とするパチンコ機の施錠装置。」（以下「本願発明」という。）
　
第二．当審の拒絶理由　
　当審は、上記平成２１年１１月９日付けの拒絶理由通知書で、本願の請求項１乃至３に係る発明は、下記の刊行物１乃至５に記載された発明に基づいて、当業者が容易に発明をすることができたものであるから、特許法第２９条第２項の規定により特許を受けることができない旨を通知した。
　　　
第三．刊行物に記載された発明　
　刊行物１：特開２００２−１７７５８６号公報
　　　　　　　　　　　　　　　　　　（平成１４年６月２５日公開）　
　刊行物２：特開平１０−１５１２５４号公報
　刊行物３：実願昭５４−５７７６号（実開昭５５−１０４４７８号）の
　　　　　　マイクロフィルム　
　刊行物４：実公昭５７−５７７５２号公報
　刊行物５：特開２０００−２８８２１４号公報　
　　　（以下、各々を「引用刊行物１」乃至「引用刊行物５」という。）
 　
　当審の拒絶理由通知に引用され、本願出願前に頒布された引用刊行物１（特開２００２−１７７５８６号公報）には、以下の記載がある。
　（１ａ）「【０００１】
【発明の属する技術分野】本発明は、一の扉に取付けられた錠によりその扉に装着された可動錠板を解錠方向にスライドさせてその可動錠板と連動するロック爪を他の扉に設けられた受け金具から外し、前記一の扉の解錠を行うパチンコ機の錠装置に関する。」、
　（１ｂ）「【００１１】
【発明の実施の形態】以下、図１から図５に基づいて、本発明の実施形態１に係るパチンコ機の錠装置の説明を行う。・・・
【００１２】パチンコ機１は、図２、図３に示すように、略方形枠状に組付け成形された機台枠２を備えている。機台枠２の前面側にはヒンジ（図示されていない）を介して表枠３が片開き状に取付けられている。また、表枠３の前面にヒンジを介してガラス枠５が片開き状に取付けられており、そのガラス枠５の下側にヒンジを介して前枠６が片開き状に取付けられている。
【００１３】表枠３の自由端側の裏面には、図３に示すように、その表枠３の施錠及びガラス枠５の施錠を行う施錠ユニット１５が取付けられている。施錠ユニット１５は角筒形の錠板ケース１２を備えており、この錠板ケース１２内に施錠ユニット１５の構成部品が組み込まれている。施錠ユニット１５は錠板ケース１２内に固定基枠１６を備えている。固定基枠１６は、図４、図５に示すように、取付片１７とスライド保持片１８とにより断面Ｌ字形に形成されている。なお、錠板ケース１２の一部と固定基枠１６の一部とを兼用することも可能であるが、本実施形態では錠板ケース１２と固定基枠１６とが別体であるものとして以下の説明を行う。
【００１４】固定基枠１６の取付片１７の中央上部寄りにはシリンダ錠２２が取付けられている（図５参照）。シリンダ錠２２は表枠３の解錠及びガラス枠５の解錠を行うための錠であり、そのシリンダ錠２２の回転軸（図示されていない）に第一解錠片２３ａ及び第二解錠片２３ｂによってブーメラン状に形成された解錠レバー２３が連結されている。・・・固定基枠１６のスライド保持片１８には、図５に示すように、ガラス枠５の施錠用として使用される第一可動錠板５０が上下のガイド穴５７ａ，５７ｂと上下のガイドピン３０とによってスライド可能に装着されている。
【００１５】第一可動錠板５０は上部と下部とに第一ロック爪５６ａ，５６ｂを備えており、それらの第一ロック爪５６ａ，５６ｂの上側に係合凹部５６ｃが形成されている。第一ロック爪５６ａ，５６ｂは固定基枠１６の挿通長穴２７ａ，２７ｂに通されて固定基枠１６の裏側（パチンコ機１の前面側）に突出しており、さらに錠板ケース１２の前面に形成された第一挿通長穴１２ａ，１２ｂに通されてその錠板ケース１２の外側（前側）に突出している（図１参照）。・・・第一可動錠板５０は第一バネ３８ｂ（図４参照）によって常に引き上げ方向の力を受けることで施錠位置（上限位置）に保持されている。
【００１６】第一可動錠板５０と固定基枠１６のスライド保持片１８との間にはハネ出しプレート４０がスライド可能に装着されている。ハネ出しプレート４０はシリンダ錠２２の第一解錠片２３ａの押下げ力を受けて下動することで、第一可動錠板５０を第一バネ３８ｂの力に抗して解錠位置まで下動させる部材であり、図５に示すように、そのハネ出しプレート４０の上部には第一作動穴４３が貫設されている。第一作動穴４３にはシリンダ錠２２の第一解錠片２３ａが掛けられる係合段部４３ａが形成されている。」、
　（１ｃ）「【００１９】固定基枠１６の取付片１７には、図５に示すように、上部と下部とにガイド金具１９，１９が取付けられており、それらのガイド金具１９，１９に表枠３の施錠用として使用される第二可動錠板６５がガイド穴７１ａ，７１ｂとガイドピン２０とによって第一可動錠板５０に重ねられた状態でスライド可能に装着されている。第二可動錠板６５は上部と下部とに第二ロック爪７０ａ，７０ｂを備えており、それらの第二ロック爪７０ａ，７０ｂの下側に係合部７０ｃが形成されている。第二ロック爪７０ａ，７０ｂは、図１（Ｂ）に示すように、錠板ケース１２の後面に形成された第二挿通長穴１２ｘ，１２ｙに通されてその錠板ケース１２の外側（後側）に突出している。・・・
【００２０】第二可動錠板６５のほぼ中央には第二作動穴７３が貫設されており、その第二作動穴７３にシリンダ錠２２の第二解錠片２３ｂが掛けられる係合段部７３ａが形成されている。第二可動錠板６５は第二バネ３８ｃ（図４参照）によって常に引き下げ方向の力を受けることで施錠位置（下限位置）に保持されている。しかし、第二可動錠板６５はシリンダ錠２２の第二解錠片２３ｂから押上げ力を受けることで第二バネ３８ｃの力に抗して解錠位置まで上動できるようになっている。
【００２１】固定基枠１６の下部には、図４（Ａ）（Ｂ）に示すように、前枠６の施錠に使用される第三可動錠板７５がガイド穴７７ａ，７７ｂとガイドピン３６ａ，３６ｂとによってスライド可能に装着されている。第三可動錠板７５は上部と下部とに第三ロック爪７６ａ，７６ｂを備えており、それらの第三ロック爪７６ａ，７６ｂの上側に係合部７６ｃが形成されている。第三ロック爪７６ａ，７６ｂは、図１（Ａ）に示すように、錠板ケース１２の前面に形成された第三挿通長穴１２ｍ，１２ｎに通されてその錠板ケース１２の外側（前側）に突出している。第三可動錠板７５は第三バネ３８ｄによって常に引き上げ方向の力を受けることで施錠位置（上限位置）に保持されている。
【００２２】前枠６の解錠はガラス枠５を開いた状態で、第三可動錠板７５を手動により第三バネ３８ｄの力に抗して押し下げることにより行う。このため、錠板ケース１２の側面には第三可動錠板７５を操作するためのレバーを通す長穴（図示されていない）が形成されている。なお、第三可動錠板７５は錠板ケース１２の外側に配置することも可能である。」、
　（１ｄ）「【００２４】上記したように構成された施錠ユニット１５は、前述のように、表枠３の自由端側の裏面に縦に取付けられる。表枠３の自由端側には、図２に示すように、施錠ユニット１５の錠板ケース１２から突出した第一ロック爪５６ａ，５６ｂを通す長穴３ｂ，３ｂが貫設されており、・・・さらに、表枠３の自由端側の下部には、第三ロック爪７６ａ，７６ｂを通す長穴３ｅ，３ｅが貫設されている。・・・
【００２５】ガラス枠５の回動自由端側の裏面には上下所定位置に施錠ユニット１５の第一ロック爪５６ａ，５６ｂがそれぞれ下方から係合する受け金具８，８が固定されている。また、前枠６の回動自由端側の裏面には上下所定位置に施錠ユニット１５の第三ロック爪７６ａ，７６ｂが下方から係合する受け金具９，９が固定されている。
【００２６】前述のように、第一可動錠板５０は第一バネ３８ｂによって常に引き上げ方向の力を受けることで施錠位置（上限位置）に保持されているため、ガラス枠５を閉じることでその第一可動錠板５０の第一ロック爪５６ａ，５６ｂとガラス枠５の受け金具８，８とが係合され、自動的にガラス枠５の施錠が行われる。同様に、第三可動錠板７５は第三バネ３８ｄによって常に引き上げ方向の力を受けることで施錠位置（上限位置）に保持されているため、前枠６を閉じることでその第三可動錠板７５の第三ロック爪７６ａ，７６ｂと前枠６の受け金具９とが係合され、自動的に前枠６の施錠が行われる。
【００２７】図３に示すように、機台枠２の一方の縦枠２ａの内側面には上下所定位置に施錠ユニット１５の錠板ケース１２から後方に突出した第二ロック爪７０ａ，７０ｂが上方から係合する受け金具７ａ，７ａが固定されている。受け金具７ａ，７ａは金具ケース７に収納されており、第二ロック爪７０ａ，７０ｂと係合する部位（図示されていない）が金具ケース７の外に配置されている。前述のように、第二可動錠板６５は第二バネ３８ｃによって常に引き下げ方向の力を受けることで施錠位置（下限位置）に保持されているため、表枠３を閉じることでその第二可動錠板６５の第二ロック爪７０ａ，７０ｂと機台枠２の受け金具７ａ，７ａとが係合され、自動的に表枠３の施錠が行われる。このように、表枠３が本発明の一の扉に相当し、機台枠２及びガラス枠５、前枠６が本発明の他の扉に相当する。
【００２８】次に、このパチンコ機１の解錠操作について説明する。先ず、表枠３を開くには、シリンダ錠２２の解錠レバー２３をキー（図示されていない）により図５において左回転させる。解錠レバー２３が左回転すると、その解錠レバー２３の第二解錠片２３ｂが第二可動錠板６５の係合段部７３ａに掛けられてその第二可動錠板６５を押上げる。これによって、第二可動錠板６５は第二バネ３８ｃの力に抗して解錠位置まで上動し、第二可動錠板６５の第二ロック爪７０ａ，７０ｂが機台枠２の受け金具７ａ，７ａから外されて、表枠３の解錠が行われる。」、
　（１ｅ）「【００３０】また、表枠３が閉じられた状態でガラス枠５の解錠を行うには、シリンダ錠２２の解錠レバー２３をキー（図示されていない）により図５において右回転させる。解錠レバー２３が右回転すると、その解錠レバー２３の第一解錠片２３ａがハネ出しプレート４０の係合段部４３ａに掛けられてそのハネ出しプレート４０を押下げる。ハネ出しプレート４０が下動すると、第一可動錠板５０がそのハネ出しプレート４０によって押下げられ、第一可動錠板５０は第一バネ３８ｂの力に抗して解錠位置まで下動する。これによって、第一可動錠板５０の第一ロック爪５６ａ，５６ｂがガラス枠５の受け金具８，８から外されて、ガラス枠５の解錠が行われる。」、
　（１ｆ）「【００３２】上記したように、本実施形態に係るパチンコ機の錠装置によると、施錠ユニット１５の構成部品、即ち、第一可動錠板５０、第二可動錠板６５等は表枠３に固定された錠板ケース１２に収納されているため、・・・」。　
　　
　したがって、これらの記載事項をまとめると、引用刊行物１には、　
　「　略方形枠状に組付け成形された機台枠２の前面側には表枠３が、表枠３の前面にはガラス枠５が、そのガラス枠５の下側には前枠６が、各々片開き状に取付けられている、パチンコ機１に取付けられている錠装置において、
　（１）表枠３の自由端側の裏面には、その表枠３の施錠及びガラス枠５の施錠を行う施錠ユニット１５が縦に取付けられ、該施錠ユニット１５は角筒形の錠板ケース１２内に、取付片１７とスライド保持片１８とにより断面Ｌ字形に形成されている固定基枠１６を備え、該角筒形の錠板ケース１２の一部と固定基枠１６の一部とを兼用することも可能であり、
　　（１−１）固定基枠１６の取付片１７の中央上部寄りには、表枠３の解錠及びガラス枠５の解錠を行うためのシリンダ錠２２が取付けられ、そのシリンダ錠２２の回転軸には第一解錠片２３ａ及び第二解錠片２３ｂによってブーメラン状に形成された解錠レバー２３が連結され、
　　（１−２）固定基枠１６のスライド保持片１８には、ガラス枠５の施錠用として使用される第一可動錠板５０が上下のガイド穴５７ａ，５７ｂと上下のガイドピン３０とによってスライド可能に装着され、該第一可動錠板５０は上部と下部とに第一ロック爪５６ａ，５６ｂを備えており、第一ロック爪５６ａ，５６ｂは固定基枠１６の挿通長穴２７ａ，２７ｂに通されてパチンコ機１の前面側に突出しており、さらに錠板ケース１２の前面に形成された第一挿通長穴１２ａ，１２ｂに通されてその錠板ケース１２の前側に突出し、
　　（１−３）固定基枠１６の取付片１７には、上部と下部とにガイド金具１９，１９が取付けられており、それらのガイド金具１９，１９に表枠３の施錠用として使用される第二可動錠板６５がガイド穴７１ａ，７１ｂとガイドピン２０とによって第一可動錠板５０に重ねられた状態でスライド可能に装着され、該第二可動錠板６５は上部と下部とに第二ロック爪７０ａ，７０ｂを備えており、第二ロック爪７０ａ，７０ｂは、錠板ケース１２の後面に形成された第二挿通長穴１２ｘ，１２ｙに通されてその錠板ケース１２の後側に突出し、第二可動錠板６５のほぼ中央には第二作動穴７３が貫設され、その第二作動穴７３にシリンダ錠２２の第二解錠片２３ｂが掛けられる係合段部７３ａが形成され、第二可動錠板６５は第二バネ３８ｃによって常に引き下げ方向の力を受けることで施錠位置に保持され、
　　（１−４）固定基枠１６の下部には、前枠６の施錠に使用される第三可動錠板７５がガイド穴７７ａ，７７ｂとガイドピン３６ａ，３６ｂとによってスライド可能に装着され、該第三可動錠板７５は上部と下部とに第三ロック爪７６ａ，７６ｂを備えており、第三ロック爪７６ａ，７６ｂは、錠板ケース１２の前面に形成された第三挿通長穴１２ｍ，１２ｎに通されてその錠板ケース１２の前側に突出し、第三可動錠板７５は第三バネ３８ｄによって常に引き上げ方向の力を受けることで施錠位置に保持され、
　（２）ガラス枠５の回動自由端側の裏面には上下所定位置に施錠ユニット１５の第一ロック爪５６ａ，５６ｂがそれぞれ下方から係合する受け金具８，８が固定され、ガラス枠５を閉じることで、第一バネ３８ｂによって常に引き上げ方向の力を受けている第一可動錠板５０の第一ロック爪５６ａ，５６ｂとガラス枠５の受け金具８，８とが係合され、自動的にガラス枠５の施錠が行われ、
　（３）前枠６の回動自由端側の裏面には上下所定位置に施錠ユニット１５の第三ロック爪７６ａ，７６ｂが下方から係合する受け金具９，９が固定され、前枠６を閉じることで、第三バネ３８ｄによって常に引き上げ方向の力を受けている第三可動錠板７５の第三ロック爪７６ａ，７６ｂと前枠６の受け金具９とが係合され、自動的に前枠６の施錠が行われ、
　（４）機台枠２の一方の縦枠２ａの内側面には上下所定位置に施錠ユニット１５の錠板ケース１２から後方に突出した第二ロック爪７０ａ，７０ｂが上方から係合する受け金具７ａ，７ａが固定され、表枠３を閉じることで、第二バネ３８ｃによって常に引き下げ方向の力を受けている第二可動錠板６５の第二ロック爪７０ａ，７０ｂと機台枠２の受け金具７ａ，７ａとが係合され、自動的に表枠３の施錠が行われ、
　（５）表枠３を開くには、シリンダ錠２２の解錠レバー２３をキーにより左回転させ、その解錠レバー２３の第二解錠片２３ｂが第二可動錠板６５のほぼ中央に貫設された第二作動穴７３に形成された係合段部７３ａに掛けられてその第二可動錠板６５を押上げ、第二可動錠板６５は第二バネ３８ｃの力に抗して解錠位置まで上動し、第二可動錠板６５の第二ロック爪７０ａ，７０ｂが機台枠２の受け金具７ａ，７ａから外されて、表枠３の解錠が行われ、
　（６）ガラス枠５の解錠を行うには、シリンダ錠２２の解錠レバー２３をキーにより右回転させ、その解錠レバー２３の第一解錠片２３ａがハネ出しプレート４０の上部に貫設された第一作動穴４３に形成された係合段部４３ａに掛けられてそのハネ出しプレート４０を押下げ、第一可動錠板５０がそのハネ出しプレート４０によって押下げられ、第一可動錠板５０は第一バネ３８ｂの力に抗して解錠位置まで下動し、第一可動錠板５０の第一ロック爪５６ａ，５６ｂがガラス枠５の受け金具８，８から外されて、ガラス枠５の解錠が行われ、
　（７）前枠６の解錠はガラス枠５を開いた状態で、第三可動錠板７５を手動により第三バネ３８ｄの力に抗して押し下げることにより行う、
　パチンコ機１の錠装置。」の発明（以下、「引用発明１」という。）が記載されていると認められる。　
　　　　
　当審の拒絶理由通知に引用され、本願出願前に頒布された引用刊行物２（特開平１０−１５１２５４号公報）には、以下の記載がある。
　（２ａ）「【発明の詳細な説明】
【０００１】
【発明の属する技術分野】本発明は、パチンコ機の施錠装置に関するものである。」、
　（２ｂ）「【００１５】図３は本発明の一実施の形態の施錠装置の斜視図、図４はその分解斜視図である。この施錠装置１１は、本体枠１４と作動板１５とシリンダ錠１６とによって大略構成される。本体枠１４は、取付板１７と支持板１８とにより断面Ｌ字形に形成され、その取付板１７が前面枠２の開放側裏面に複数のねじで固着される。前記支持板１８の上下両端部分は幅広に形成されており、その幅広部分に側枠１の内側に設けられた係止金具１９，１９に係脱する鉤部材２０，２０が軸ピン２１，２１によって上下方向へ回動自在に枢着されている。
【００１６】前記作動板１５は、本体枠１４の支持板１８とほぼ等しい長さに形成され、かつ該支持板１８に沿って上下摺動可能に配設される。この作動板１５の上下両端には縦長孔２２，２２が穿設されており、該縦長孔２２，２２に挿通したピン２３，２３を鉤部材２０，２０にカシメ着することによって両鉤部材２０，２０と作動板１５とを連結させている。そして、鉤部材２０，２０に設けた突起２４，２４と取付板１７及び支持板１８に突設した掛止部２５，２５とにスプリング２６，２６の両端を係止して両鉤部材２０，２０を図６実線で示すように上向き（反時計廻り方向）に回動付勢し、これによって両鉤部材２０，２０が側枠１の係止金具１９，１９に係合して前面枠２を施錠するようになっている。・・・
【００１７】・・・３０は作動板１５に設けられた突起片３１と取付板１７に突設された掛止部３２とに両端を係止させたスプリングで、作動板１５を常に前記スプリング２６，２６より弱い作用力で下方へ付勢している。３３は作動板１５を手で下動操作するための把手片である。」、
　（２ｃ）「【００２２】本発明は上記のように構成されており、図６においてシリンダ錠１６の鍵孔３５に鍵３４を挿入して錠軸３８を矢印Ａ方向（図５参照）へ回動すると、連結片４７を介して作動板１５が図６鎖線のようにスプリング２６，２６の付勢に抗して上動し、これの縦長孔２２，２２の下端でピン２３，２３を上方へ押し上げる。これによって、鉤部材２０，２０がスプリング２６，２６の付勢に抗して軸ピン２１，２１を支点に下向回動し、側枠１の係止金具１９，１９との係合が解かれて前面枠２が開放可能な状態となる。」。
　（２ｄ）また、【図３】及び【図４】並びに【図６】には「把手片３３が設けられた作動板１５」が示されている。
　　
　したがって、これらの記載事項をまとめると、引用刊行物２には、　
　「　本体枠１４と作動板１５とシリンダ錠１６とによって大略構成される、パチンコ機の施錠装置１１であって、
　本体枠１４は、取付板１７と支持板１８とにより断面Ｌ字形に形成され、その取付板１７が前面枠２の開放側裏面に複数のねじで固着され、前記支持板１８の上下両端部分の幅広部分に側枠１の内側に設けられた係止金具１９，１９に係脱する鉤部材２０，２０が軸ピン２１，２１によって上下方向へ回動自在に枢着され、
　前記作動板１５は、本体枠１４の支持板１８に沿って上下摺動可能に配設され、この作動板１５の上下両端には縦長孔２２，２２が穿設されており、該縦長孔２２，２２に挿通したピン２３，２３を鉤部材２０，２０にカシメ着することによって両鉤部材２０，２０と作動板１５とを連結させ、鉤部材２０，２０に設けた突起２４，２４と取付板１７及び支持板１８に突設した掛止部２５，２５とにスプリング２６，２６の両端を係止して両鉤部材２０，２０を上向き（反時計廻り方向）に回動付勢し、これによって両鉤部材２０，２０が側枠１の係止金具１９，１９に係合して前面枠２を施錠するようになっており、
　該作動板１５には手で下動操作するための把手片３３が設けられ、
　シリンダ錠１６の鍵孔３５に鍵３４を挿入して錠軸３８を所定の方向へ回動すると、連結片４７を介して作動板１５がスプリング２６，２６の付勢に抗して上動し、これの縦長孔２２，２２の下端でピン２３，２３を上方へ押し上げ、鉤部材２０，２０がスプリング２６，２６の付勢に抗して軸ピン２１，２１を支点に下向回動し、側枠１の係止金具１９，１９との係合が解かれて前面枠２が開放可能な状態となる、
　パチンコ機の施錠装置１１。」の発明（以下、「引用発明２」という。）が記載されていると認められる。
　　　　　
　当審の拒絶理由通知に引用され、本願出願前に頒布された引用刊行物３（実願昭５４−５７７６号（実開昭５５−１０４４７８号）のマイクロフィルム）において、
　（３ａ）明細書第１頁第１６行乃至第２頁第１行には、「　この考案は、パチンコ機の前面に扉状に開閉可能に取付けた前面枠に取付けられ、シリンダ錠の回動により揺動する鉤部材を備え、パチンコ機の本体外枠に取付けた係止受部に鉤部材を掛け止めて前面枠に施錠を行なうパチンコ機の施錠装置において、・・・」と、
　（３ｂ）同第２頁第１４行乃至第１７行には、「　第１図は施錠装置をパチンコ機の前面枠１に取付け、本体外枠２に取付けた鉤部材用の係止受部３、４に上下の鉤部材５、６を係止させた状態を示している。」と、
　（３ｃ）同第３頁第１４行乃至第４頁第２行には、「１５はパチンコ機の内部から開錠するために第１連結杆に設けた取手である。第１連結杆１１の上下先端はそれぞれ鉤部材５、６に連結され、鉤部材１６、１７に軸支され、第１図において、第１連結杆１１を上方へ摺動させると鉤部材５、６はそれぞれ軸１６ａ、１７ａを中心に半時計方向に回動し、係止受部３、４との係合を解除して開錠するように動作する。」と、
　（３ｄ）同第４頁第１２行乃至第５頁第６行には、「　次に、この施錠装置の動作を説明する。
　前面枠１に取付けられた施錠装置は、前面枠１が本体外枠に押込まれることにより鉤部材５、６がばね１６ｂ、１７ｂの力で係止受部３、４にそれぞれキヤツチされ、自動的に施錠を行なう。・・・
　開錠を行なう場合、シリンダ錠８に鍵を挿入し、前面枠１の開錠の際は鍵を左方向に回して第３図のように、カム板１０を時計方向へ回動することにより行なう。すなわち、時計方向へ回動したカム板１０の左側先端は第１連結杆１１の切欠部１１ａに係合して第１連結杆１１を上方へ摺動させる。すると、上下の鉤部材５、６はばね１６ｂ、１７ｂに抗して第１図の半時計方向に回動して係止受部３、４との係合を解除し開錠される。・・・」と、それぞれ記載されている。
　（３ｅ）また、パチンコ機の施錠装置の側面図である【第１図】には「鉤部材５近傍に配置されたばね１６ｂ、鉤部材６近傍に配置されたばね１７ｂ」が示されている。
　　　
　したがって、これらの記載事項をまとめると、引用刊行物３には、　
　「　本体外枠２に係止受部３、４を取付け、シリンダ錠の回動により揺動する鉤部材５、６を前面枠１の上下に取付け、鉤部材５近傍にばね１６ｂを配置し、鉤部材６近傍にばね１７ｂを配置し、
　前面枠１が本体外枠２に押込まれることにより鉤部材５、６がばね１６ｂ、１７ｂの力で係止受部３、４にそれぞれキヤツチされ、自動的に施錠を行なう、パチンコ機の施錠装置において、
　前面枠１の開錠を行なう場合、シリンダ錠８に鍵を挿入し、左方向に回して、カム板１０を時計方向へ回動すると、回動したカム板１０の左側先端は第１連結杆１１の切欠部１１ａに係合して第１連結杆１１を上方へ摺動させ、第１連結杆１１の上下先端にそれぞれ連結された上下の鉤部材５、６はばね１６ｂ、１７ｂに抗してそれぞれ軸１６ａ、１７ａを中心に回動して係止受部３、４との係合を解除し開錠され、
　また、パチンコ機の内部から開錠するために第１連結杆に取手１５を設けた、
　パチンコ機の施錠装置。」の発明（以下、「引用発明３」という。）が記載されていると認められる。　
　　　　　　　　　　　
　当審の拒絶理由通知に引用され、本願出願前に頒布された引用刊行物４（実公昭５７−５７７５２号公報）において、
　（４ａ）明細書第１頁第１欄第１３行乃至第２４行には「実用新案登録請求の範囲
　パチンコ機の窓枠開放側内面に並着された基片の下部には掛止突片を突設する一方、前記窓枠下部に対し開閉可能に蝶着された前面盤の開放側端部裏面に固着される案内片には上挾持片をピン着し、さらに、同案内片には操作片を上下動可能に弾性並設するとともに、前記操作片の上動時には前記上挾持片が前記掛止突片に対し下傾状に係合され、逆に前記操作片の下動時には前記上挾持片が前記掛止突片に対し上傾状に解放されるように前記操作片と前記上挾持片を連係したことを特徴とするパチンコ機における前面盤施錠装置。」と、
　（４ｂ）同第１頁第１欄第３６行乃至第２欄第４行には「　７はガラス窓枠５の下方にて窓枠４に対し開閉可能に蝶着された前面盤である。
　８は窓枠４の開放側内面に並着された基片であつて、その上部および中央部付近には逃げ穴８ａ，８ａが開口され、さらに、その下端部付近には掛止突片９が内方に対し垂直状に突設されている。」と、
　（４ｃ）同第１頁第２欄第３３行乃至第２頁第３欄第１１行には「　続いて、前面盤施錠装置について説明すると、１７は前面盤７の開放側端部裏面に対し垂直状に固着された案内片であつて、断面Ｌ型状に形成され、その水平部１７ａが前面盤７にリベツト１８，１８着される一方、垂直部１７ｂの上下部にはガイドピン１９，２０が植設され、さらに、垂直部１７ｂの後端下部には山型状の支承片２１が突設され、この支承片２１の上縁には支承縁２１ａが斜状に形成されている。
　２２は案内片１７の内面側に対し上下動可能に並設された操作片であつて、その上下部に貫設された長孔状のガイド孔２２ａ，２２ａを介して案内片１７のガイドピン１９，２０にて案内され、その上端には逆Ｌ型状の操作つまみ２２ｂが突出され、かつ、この操作つまみ２２ｂの下端縁には上案内縁２２ｃが斜状に形成されている。」と、
　（４ｄ）同第２頁第３欄第２０行乃至第３５行には「　２６は操作片２２の上部前方に植設されたガイドピンである。
　２７は案内片１７上方のガイドピン１９に対し操作片２２を挾んで回動可能にピン着された上挾持片であつて、・・・
　そして、この上挾持片の前端部には回動溝３０が操作片２２のガイドピン２６に対し連係可能に凹設されていて、このガイドピン２６と回動溝３０を介して上挾持片２７が操作片２２の上下動に同調して回動されるとともに、掛止突片９の上端部９ｂに対し係脱される。」と、
　（４ｅ）同第２頁第３欄第４２行乃至第４欄第９行には「　まず、閉止された前面盤７を開放する場合には、操作つまみ２２ｂを介して操作片２２を押下げると、下挾持片２３と上挾持片２７に挾持された基片８の掛止突片９は、下挾持片２３の下動にて下掛止凹部２５より下端部９ａが脱離される一方、上挾持片２７の回動にて同片２７が上傾状に開放されて上掛止凹部２９との係合から上端部９ｂが脱離され、・・・前面盤７が前方に対し円滑に押出されて開放される。」と、それぞれ記載されている。　
　　　　
　したがって、これらの記載事項をまとめると、引用刊行物４には、　
　「　パチンコ機の窓枠４開放側内面に並着された基片８の下部には掛止突片９を突設する一方、前記窓枠４下部に対し開閉可能に蝶着された前面盤７の開放側端部裏面に垂直状に固着される案内片１７には上挾持片２７をピン着し、さらに、同案内片１７には操作片２２を上下動可能に弾性並設するとともに、前記操作片２２の上動時には前記上挾持片２７が前記掛止突片９に対し下傾状に係合され、逆に前記操作片２２の下動時には前記上挾持片２７が前記掛止突片９に対し上傾状に解放されるように前記操作片２２と前記上挾持片２７を連係した、パチンコ機における前面盤施錠装置において、
　断面Ｌ型状に形成される案内片１７の垂直部１７ｂの上下部にはガイドピン１９，２０が植設され、
　上端に逆Ｌ型状の操作つまみ２２ｂが突出される操作片２２は、その上下部に貫設された長孔状のガイド孔２２ａ，２２ａを介して案内片１７のガイドピン１９，２０にて案内され、上部前方にはガイドピン２６が植設され、
　前端部に回動溝３０が前記ガイドピン２６に対し連係可能に凹設されている上挾持片２７は、案内片１７上方のガイドピン１９に対し回動可能にピン着され、
　閉止された前面盤７を開放する場合には、操作つまみ２２ｂを介して操作片２２を押下げると、ガイドピン２６と回動溝３０を介して上挾持片２７が回動される、パチンコ機における前面盤施錠装置。」の発明（以下、「引用発明４」という。）が記載されていると認められる。
　
　当審の拒絶理由通知に引用され、本願出願前に頒布された引用刊行物５（特開２０００−２８８２１４号公報）には、以下の記載がある。
　（５ａ）「【０００１】
【発明の属する技術分野】本発明は、前枠を外枠に開閉可能に支持したパチンコ遊技機、パチスロ遊技機等の遊技機において、前枠が閉じられたときにその前枠を外枠に係止するために用いられる施錠装置に関するものである。」、
　（５ｂ）「【０００８】
【発明の実施の形態】（第１実施形態）以下、本発明をパチンコ遊技機の施錠装置に具体化した第１実施形態を図面に従って説明する。図１及び図２に示すように、パチンコ遊技機１は、外枠２と、軸９により外枠２に開閉可能に支持された前枠（内枠と呼ばれることもある）３と、前枠３に組付けられた遊技盤４と、軸１０により前枠３に開閉可能に支持されたガラス枠５とを備えている。外枠２内の右側部には被係止部が固定されている。被係止部は、剛性の高い材料、例えば金属板によって形成されている。ここでは、被係止部として、金属板を曲げ形成したもの（以下「受け金具」という）が用いられ、これが木ねじ等によって外枠２に固定されている。受け金具の数は複数（２つ以上）であり、ここでは２個の受け金具（第１受け金具６及び第２受け金具７）が用いられている。第１受け金具６は外枠２の下部に固定され、第２受け金具７は外枠２の上部に固定されている。前枠３の裏面の右側部には、縦長の施錠装置８が組付けられている。施錠装置８は、前枠３が閉じられたときにその前枠３を外枠２に係止するための機構と、ガラス枠５が閉じられたときにそのガラス枠５を前枠３に係止するための機構とを備えている。・・・
【０００９】施錠装置８は、図３（ａ），（ｂ）に示すように上下に細長い枠体１３を備えており、この枠体１３において前枠３に固定されている。ここでは、金属板を略直角に曲げてアングル状としたものが枠体１３として用いられているが、これに限らない。枠体１３において互いに略直交する２つの板状部分を区別するために、一方を「取付け部１１」といい、他方を「支持部１２」ということにする。取付け部１１は木ねじ等の締結具によって前枠３の裏面に固定されており、支持部１２は同裏面に対し略直交している。・・・
【００１０】取付け部１１には、図４（ｂ）に示すように、解錠のために専用の鍵（以下「専用キー」という）１４によって解錠操作される錠が組付けられている。ここでは、錠としてシリンダ錠１５が用いられているが、これ以外のタイプの錠が用いられてもよい。シリンダ錠１５においては、解錠のために専用キー１４が差込まれて回転されるが、ここでは、パチンコ遊技機１の正面から見て時計回り方向（図４（ｂ）において矢印で示す方向）を、前枠３を開放する際に専用キー１４を回す方向とし、反時計回り方向を、ガラス枠５を開放する際に専用キー１４を回す方向としている。・・・図３（ａ），（ｂ）に示すように、シリンダ錠１５は専用キー１４の操作にともない回動する錠軸１６を備えている。錠軸１６には、第１突起１７及び第２突起１８を有するカム板１９が取付けられている。
【００１１】・・・同様に、支持部１２の上部において、第２受け金具７と対応する箇所には、第２鉤部材２３が軸２４により上下方向への傾動可能に支持されている。第２鉤部材２３は略水平状態となったときに第２受け金具７に係止し、下方へ傾いたときに同受け金具７から離脱する（外れる）。・・・
【００１２】支持部１２の側方（図３（ａ）では左方）近傍には、連結杆２０が上下方向への往復動可能に配置されている。枠体１３には、連結杆２０の前後方向の動き及び左右方向の動きを規制するための機構が設けられている。・・・なお、連結杆２０の上下方向への往復動のうち、上方への移動は解錠に関連する。後述するように、連結杆２０の上方への移動により、全鉤部材２１，２３が受け金具６，７から外れて、解錠が行われる。このことから、連結杆２０の往復動方向である上下方向のうち、「上方」を「解錠方向」というものとする。
【００１３】連結杆２０は第１連結杆２５と、その上側に配置された第２連結杆２６とに分割されている。・・・
【００１４】第２連結杆２６は上下に細長い形状をなし、その一部には、前記カム板１９の回転にともない第１突起１７が当接される回転伝達部３２が形成されている。これらのカム板１９及び回転伝達部３２は、錠軸１６の回転運動を直線運動に変換して第２連結杆２６に伝達するものである。そして、前枠３の開放のために専用キー１４が時計回り方向へ回されると、第１突起１７が回転伝達部３２に下側から当接し、第２連結杆２６を押上げる。このようにして、第２連結杆２６は専用キー１４の解錠操作にともない解錠方向へ移動する。これとは逆に、ガラス枠５の開放のために専用キー１４が反時計回り方向へ回されると、第２突起１８が補助枠３５を押し下げる。
【００１５】第２連結杆２６の上端部は第２鉤部材２３に動力伝達可能に連結されている。しかし、同上端部は、前述した第１連結杆２５の下端部とは異なり、第２鉤部材２３に対し連結ピンによって連結されてはいない。連結ピンによる連結に代えて、第２連結杆２６の上端部には押圧部３３が設けられ、第２鉤部材２３には受圧部３４が設けられている。ここでは、第２連結杆２６の上端縁が押圧部３３として利用されている。第２鉤部材２３の一部は第２連結杆２６側へ曲げ形成されており、この折曲げ部分が受圧部３４とされている。これらの押圧部３３及び受圧部３４は一例にすぎず、専用キー１４の操作により第２連結杆２６が上方（解錠方向）へ移動したときには受圧部３４が押圧部３３に当接し、かつ第１鉤部材２１が不正に押下げられたときには受圧部３４が押圧部３３から離間するという条件を満たす限りにおいて、適宜変更可能である。この変更に際しては、押圧部３３は第２連結杆２６と一体で形成されてもよいし、別部材によって形成され、接着、溶接等の手段によって第２連結杆２６に固定されてもよい。受圧部３４に関しても同様である。
【００１６】さらに、受圧部３４を押圧部３３に当接させる方向へ第２鉤部材２３を付勢する第２弾性部材が用いられている。ここでは、第２弾性部材として第２コイルばね３６が用いられ、これが引張られた状態で補助枠３５及び受圧部３４間に掛渡されている。第２コイルばね３６は、補助枠３５に代えて枠体１３に掛止されてもよい。第２弾性部材としては、圧縮コイルばね、ねじりコイルばね、板ばね、棒ばね等のばねが用いられたり、ばね以外のもの、例えばゴム（ゴム紐等）が用いられたりしてもよい。」、
　（５ｃ）「【００２２】次に、前記のように構成された本実施形態の作用及び効果について説明する。図４（ａ）は、施錠装置８の施錠時の状態を示している。この状態では、第２コイルばね３６によって下方へ引張られた第２鉤部材２３が第２受け金具７に下側から係止している。・・・」。
　　　
　したがって、これらの記載事項をまとめると、引用刊行物５には、　
　「　外枠２内の右側部には第１受け金具６及び第２受け金具７が固定され、前枠３の裏面に固定される取付け部１１と同裏面に対し略直交している支持部１２とが互いに略直交している枠体１３が前枠３に固定され、前枠３が閉じられたときにその前枠３を外枠２に係止するための機構を備えている、パチンコ遊技機１の施錠装置８であって、
　枠体１３の支持部１２の上部において、第２受け金具７と対応する箇所には、略水平状態となったときに第２受け金具７に係止し、下方へ傾いたときに同受け金具７から離脱する（外れる）第２鉤部材２３が軸２４により上下方向への傾動可能に支持され、
　支持部１２の側方近傍には、第１連結杆２５と、その上側に配置された第２連結杆２６とに分割されている連結杆２０が上下方向への往復動可能に配置され、
　第２連結杆２６の上端部には押圧部３３が設けられ、第２鉤部材２３には受圧部３４が設けられ、
　枠体１３及び受圧部３４間に第２コイルばね３６が掛渡され、
　施錠時の状態では、第２コイルばね３６によって下方へ引張られた第２鉤部材２３が第２受け金具７に下側から係止し、
　専用キー１４の操作により第２連結杆２６が上方（解錠方向）へ移動したときには受圧部３４が押圧部３３に当接し、全鉤部材２１，２３が受け金具６，７から外れて解錠が行われる、パチンコ遊技機１の施錠装置８。」の発明（以下、「引用発明５」という。）が記載されていると認められる。
　　
第四．本願発明と引用発明１との比較・検討
　（四−１）引用発明１の「取付片１７」は本願発明の「取付板」に相当し、以下同様に「スライド保持片１８」は「支持板」に、「固定基枠１６」は「基枠体」に、「回転軸」は「錠軸」に、「解錠レバー２３」は「カム板」に、「シリンダ錠２２」は「シリンダ錠」に、「機台枠２」は「本体枠」に、「機台枠２の受け金具７ａ，７ａ」は「本体枠側に固定された受け金具」に、「表枠３」は「前面枠」に、「第二ロック爪７０ａ，７０ｂ」は「前面枠を施錠する鉤部材」及び「前面枠施錠用の鉤部材」に、「解錠レバー２３をキーにより左回転」は「カム板の一方向への回動」に、「ガラス枠５」は「ガラス枠」に、「ガラス枠５の受け金具８，８」は「ガラス枠側の係止片」に、「第一ロック爪５６ａ，５６ｂ」は「ガラス枠を施錠する鉤部材」及び「ガラス枠用鉤部材」に、「解錠レバー２３をキーにより右回転」は「カム板の他方向への回動」に、「前枠６」は「前パネル」に、「パチンコ機１の錠装置」は「パチンコ機の施錠装置」に、
　　（ａ）「第二バネ３８ｃ」は、第二ロック爪７０ａ，７０ｂを備えた第二可動錠板６５を施錠位置に保持するものであるから「施錠方向に付勢するコイルばね」に、「第二可動錠板６５」は「前面枠施錠用の作動杆」に、「スライド可能に装着され、」は「摺動可能に配設され、」に、「ガイド穴７１ａ，７１ｂ」は「ガイド孔」に、「第二可動錠板６５のほぼ中央に」は「作動杆の一部に」に、「第二作動穴７３」は、当該第二作動穴７３に形成された係合段部７３ａに解錠レバー２３の第二解錠片２３ｂが掛けられるから「カム板が係合可能な係合孔」に、「表枠３を開くには、」は「前面枠の解錠時、」に、「第二可動錠板６５は（第二バネ３８ｃの力に抗して）解錠位置まで上動し、」は「作動杆を解錠方向に移動させたとき、」に、
　　（ｂ）「第一バネ３８ｂ」は、ガラス枠５を閉じることで、第一バネ３８ｂによって常に引き上げ方向の力を受けている第一可動錠板５０の第一ロック爪５６ａ，５６ｂとガラス枠５の受け金具８，８とが係合され、自動的にガラス枠５の施錠が行われるものであるから「施錠方向に付勢するコイルばね」に、「第一可動錠板５０」は「ガラス枠用作動杆」に、「スライド可能に装着され、」は「摺動可能に配設され、」に、「ガイド穴５７ａ，５７ｂ」は「ガイド孔」に、「第一作動穴４３」は、当該第一作動穴４３に形成された係合段部４３ａに解錠レバー２３の第一解錠片２３ａが掛けられるから「カム板が係合可能な係合孔」に、「ガラス枠５の解錠を行うには、」は「ガラス枠の解錠時、」に、「第一可動錠板５０は（第一バネ３８ｂの力に抗して）解錠位置まで下動し、」は「ガラス枠用作動杆を解錠方向に移動させたとき、」に、
　　（ｃ）「第三ロック爪７６ａ，７６ｂ」は、前枠６の施錠に使用される第三可動錠板７５の上部と下部とに備えられているから「前パネルを施錠するための２本の前パネル用鉤部材」に、「第三挿通長穴１２ｍ，１２ｎに通されてその錠板ケース１２の前側に突出し、」は「スリット孔から前方に突き出して、」に、「第三可動錠板７５」は「前パネル用作動杆」に、「スライド可能に装着され、」は「摺動可能に配設され、」に、「第三バネ３８ｄ」は、第三ロック爪７６ａ，７６ｂを備えた第三可動錠板７５を施錠位置に保持するものであるから「施錠側に付勢するコイルばね」に、「前枠６の受け金具９」は「（前パネル側に設けられる）係止片」に、「第三可動錠板７５の第三ロック爪７６ａ，７６ｂと前枠６の受け金具９とが係合され、自動的に前枠６の施錠が行われ、」は「前パネル用鉤部材が（該）係止片に係止されて（該）前パネルが施錠される」に、それぞれ相当する。
　（四−２）引用発明１は「表枠３の施錠及びガラス枠５の施錠を行う施錠ユニット１５が縦に取付けられ、該施錠ユニット１５は角筒形の錠板ケース１２内に、取付片１７とスライド保持片１８とにより断面Ｌ字形に形成されている固定基枠１６を備え、」、「固定基枠１６の取付片１７の中央上部寄りには、表枠３の解錠及びガラス枠５の解錠を行うためのシリンダ錠２２が取付けられ、そのシリンダ錠２２の回転軸には第一解錠片２３ａ及び第二解錠片２３ｂによってブーメラン状に形成された解錠レバー２３が連結され、」「固定基枠１６のスライド保持片１８には、ガラス枠５の施錠用として使用される第一可動錠板５０がスライド可能に装着され、」、「第二可動錠板６５が第一可動錠板５０に重ねられた状態でスライド可能に装着され、」るものであり、前記解錠レバー２３が掛かる第二可動錠板６５に備えられた第二ロック爪７０ａ，７０ｂは（角筒形の）錠板ケース１２の後側に突出し、また当該解錠レバー２３が掛かるハネ出しプレート４０によって押下げられる第一可動錠板５０に備えられた第一ロック爪５６ａ，５６ｂが固定基枠１６の挿通長穴２７ａ，２７ｂに通されてパチンコ機１の前面側に突出し、さらに（角筒形の）錠板ケース１２の前側に突出していることを併せて考慮すれば、引用発明１が本願発明の「取付板と支持板を有する縦長の基枠体と、該基枠体の取付板に固定され、該基枠体内に位置する錠軸にカム板を取り付けてなるシリンダ錠と、を備えるパチンコ機の施錠装置」に相当する事項を備えていることは明らかである。
　（四−３）引用発明１は「表枠３を開くには、シリンダ錠２２の解錠レバー２３をキーにより左回転させ、その解錠レバー２３の第二解錠片２３ｂが第二可動錠板６５を押上げ、第二可動錠板６５は解錠位置まで上動し、第二可動錠板６５の第二ロック爪７０ａ，７０ｂが機台枠２の受け金具７ａ，７ａから外されて、表枠３の解錠が行われ」、「ガラス枠５の解錠を行うには、シリンダ錠２２の解錠レバー２３をキーにより右回転させ、その解錠レバー２３の第一解錠片２３ａがハネ出しプレート４０を押下げ、第一可動錠板５０がそのハネ出しプレート４０によって押下げられ、第一可動錠板５０は解錠位置まで下動し、第一可動錠板５０の第一ロック爪５６ａ，５６ｂがガラス枠５の受け金具８，８から外されて、ガラス枠５の解錠が行われ」るものであるから、引用発明１が本願発明の「本体枠側に固定された受け金具に係止されて前面枠を施錠する鉤部材を有し、（該）シリンダ錠による（該）カム板の一方向への回動に係合して該鉤部材を解錠方向に動かす前面枠施錠機構と、ガラス枠側の係止片に係止されて該ガラス枠を施錠する鉤部材を有し、該シリンダ錠による該カム板の他方向への回動に係合して該鉤部材を解錠方向に動かすガラス枠施錠機構と、を備えるパチンコ機の施錠装置」に相当する事項を備えていることは明らかである。
　（四−４）引用発明１は、「機台枠２の前面側には表枠３が、表枠３の前面にはガラス枠５が、そのガラス枠５の下側には前枠６が、各々片開き状に取付けられている、パチンコ機１において」、「表枠３の自由端側の裏面には、その表枠３の施錠及びガラス枠５の施錠を行う施錠ユニット１５が縦に取付けられ」、「施錠ユニット１５の第一ロック爪５６ａ，５６ｂとガラス枠５の受け金具８，８とが係合され、自動的にガラス枠５の施錠が行われ」、「施錠ユニット１５の第三ロック爪７６ａ，７６ｂと前枠６の受け金具９とが係合され、自動的に前枠６の施錠が行われ」、「施錠ユニット１５の錠板ケース１２から後方に突出した第二ロック爪７０ａ，７０ｂと機台枠２の受け金具７ａ，７ａとが係合され、自動的に表枠３の施錠が行われ」るものであるから、引用発明１は本願発明の「前面枠施錠機構と、ガラス枠施錠機構と、を備え、（該）前面枠の内側に縦に取り付けられ、（該）本体枠に対し該前面枠を施錠し、該前面枠に対し（該）ガラス枠を施錠すると共に、該前面枠内の下部に開閉可能に取り付けられた前パネルを施錠するパチンコ機の施錠装置」に相当する事項を備えていることは明らかである。
　（四−５）引用発明１における、「表枠３の施錠・解錠機構」について検討すると、
　　（ａ）「固定基枠１６の取付片１７には、上部と下部とにガイド金具１９，１９が取付けられており、それらのガイド金具１９，１９に表枠３の施錠用として使用される第二可動錠板６５がガイド穴７１ａ，７１ｂとガイドピン２０とによって第一可動錠板５０に重ねられた状態でスライド可能に装着され、該第二可動錠板６５は上部と下部とに第二ロック爪７０ａ，７０ｂを備えており、第二可動錠板６５のほぼ中央には第二作動穴７３が貫設され、その第二作動穴７３にシリンダ錠２２の第二解錠片２３ｂが掛けられる係合段部７３ａが形成され、第二可動錠板６５は第二バネ３８ｃによって常に引き下げ方向の力を受けることで施錠位置に保持され」、即ち「固定基枠１６の取付片１７に取付けられたガイド金具１９，１９に、第二ロック爪７０ａ，７０ｂを備えた第二可動錠板６５がガイド穴７１ａ，７１ｂとガイドピン２０とによって第一可動錠板５０に重ねられた状態でスライド可能に装着され、第二可動錠板６５のほぼ中央にはシリンダ錠２２の第二解錠片２３ｂが掛けられる第二作動穴７３が貫設され、第二可動錠板６５は第二バネ３８ｃによって常に引き下げ方向の力を受けることで施錠位置に保持され」るもので、
　　（ｂ）「表枠３を開くには、シリンダ錠２２の解錠レバー２３をキーにより左回転させ、その解錠レバー２３の第二解錠片２３ｂが第二可動錠板６５のほぼ中央に貫設された第二作動穴７３に形成された係合段部７３ａに掛けられてその第二可動錠板６５を押上げ、第二可動錠板６５は第二バネ３８ｃの力に抗して解錠位置まで上動し、第二可動錠板６５の第二ロック爪７０ａ，７０ｂが機台枠２の受け金具７ａ，７ａから外されて、表枠３の解錠が行われ」るものである。
　　（ｃ）そして、「第二可動錠板６５が重ねられる第一可動錠板５０」は「固定基枠１６のスライド保持片１８に、スライド可能に装着され」るものであるから、「第二可動錠板６５はスライド保持片１８に沿ってスライド可能に装着され」るものであるといえる。そうすると、引用発明１は本願発明の「（前記）前面枠施錠機構は、基枠体の支持板に前面枠施錠用の鉤部材が枢支ピンにより傾動可能に枢支され、該鉤部材に設けた係合凸部には、施錠方向に付勢するコイルばねが掛止され、該鉤部材を解錠方向にのみ動かすための前面枠施錠用の作動杆が該支持板に沿って摺動可能に配設され、該作動杆には枢支ピンに係合してガイドされるガイド孔が設けられ、該作動杆の一部に（前記）カム板が係合可能な係合孔が設けられ、該鉤部材の該係合凸部に係合する係合部が該作動杆に設けられ、該前面枠の解錠時、該作動杆を解錠方向に移動させたとき、該係合部と該係合凸部を介して該鉤部材が回動力を受け、解錠側に傾動するように構成され、」と比較して、「（前記）前面枠施錠機構は、基枠体に前面枠施錠用の鉤部材が設けられ、該鉤部材を解錠方向に動かすための前面枠施錠用の作動杆が（該）支持板に沿って摺動可能に配設され、該作動杆にはピンに係合してガイドされるガイド孔が設けられ、該作動杆の一部に（前記）カム板が係合可能な係合孔が設けられ、該前面枠の解錠時、該作動杆を解錠方向に移動させたとき、該鉤部材が解錠側に移動するように構成され、」において一致する。
　（四−６）引用発明１における、「ガラス枠５の施錠・解錠機構」について検討すると、
　　（ａ）「固定基枠１６のスライド保持片１８には、ガラス枠５の施錠用として使用される第一可動錠板５０が上下のガイド穴５７ａ，５７ｂと上下のガイドピン３０とによってスライド可能に装着され、該第一可動錠板５０は上部と下部とに第一ロック爪５６ａ，５６ｂを備えており」、
　　（ｂ）第一可動錠板５０は「第一バネ３８ｂによって常に引き上げ方向の力を受けている」もので、
　　（ｃ）「ガラス枠５の解錠を行うには、シリンダ錠２２の解錠レバー２３をキーにより右回転させ、その解錠レバー２３の第一解錠片２３ａがハネ出しプレート４０の上部に貫設された第一作動穴４３に形成された係合段部４３ａに掛けられてそのハネ出しプレート４０を押下げ、第一可動錠板５０がそのハネ出しプレート４０によって押下げられ、第一可動錠板５０は第一バネ３８ｂの力に抗して解錠位置まで下動し、第一可動錠板５０の第一ロック爪５６ａ，５６ｂがガラス枠５の受け金具８，８から外されて、ガラス枠５の解錠が行われ」、即ち「ガラス枠５の解錠を行うには、シリンダ錠２２の解錠レバー２３をキーにより右回転させ、その解錠レバー２３の第一解錠片２３ａがハネ出しプレート４０を押下げ、第一可動錠板５０がそのハネ出しプレート４０によって押下げられ、第一可動錠板５０は第一バネ３８ｂの力に抗して解錠位置まで下動し、第一可動錠板５０の第一ロック爪５６ａ，５６ｂがガラス枠５の受け金具８，８から外されて、ガラス枠５の解錠が行われ」るものである。
　　（ｄ）そうすると、引用発明１は本願発明の「（前記）ガラス枠施錠機構は、基枠体の支持板にガラス枠用鉤部材が枢支ピンにより傾動可能に枢支され、該ガラス枠用鉤部材に設けた係合凸部には、施錠方向に付勢するコイルばねが掛止され、該ガラス枠用鉤部材を解錠方向にのみ動かすためのガラス枠用作動杆が該支持板に沿って摺動可能に配設され、該ガラス枠用作動杆には枢支ピンに係合してガイドされるガイド孔が設けられ、該ガラス枠用作動杆の一部に（前記）カム板が係合可能な係合孔が設けられ、該ガラス枠用鉤部材の該係合凸部に係合する係合部が該ガラス枠用作動杆に設けられ、該ガラス枠の解錠時、該ガラス枠用作動杆を解錠方向に移動させたとき、該係合部と該係合凸部を介して該ガラス枠用鉤部材が回動力を受け、解錠側に傾動するように構成され、」と比較して、「（前記）ガラス枠施錠機構は、基枠体の支持板にガラス枠用鉤部材が設けられ、該ガラス枠用鉤部材を解錠方向に動かすためのガラス枠用作動杆が該支持板に沿って摺動可能に配設され、該ガラス枠用作動杆にはピンに係合してガイドされるガイド孔が設けられ、該ガラス枠の解錠時、該ガラス枠用作動杆を解錠方向に移動させたとき、該ガラス枠用鉤部材が解錠側に移動するように構成され、」において一致する。
　（四−７）引用発明１における、「前枠６の施錠・解錠機構」について検討すると、
　　（ａ）「固定基枠１６の下部には、前枠６の施錠に使用される第三可動錠板７５がガイド穴７７ａ，７７ｂとガイドピン３６ａ，３６ｂとによってスライド可能に装着され、該第三可動錠板７５は上部と下部とに第三ロック爪７６ａ，７６ｂを備えており、第三ロック爪７６ａ，７６ｂは、錠板ケース１２の前面に形成された第三挿通長穴１２ｍ，１２ｎに通されてその錠板ケース１２の前側に突出し、第三可動錠板７５は第三バネ３８ｄによって常に引き上げ方向の力を受けることで施錠位置に保持され」、
　　（ｂ）「前枠６の回動自由端側の裏面には上下所定位置に施錠ユニット１５の第三ロック爪７６ａ，７６ｂが下方から係合する受け金具９，９が固定され、前枠６を閉じることで、第三バネ３８ｄによって常に引き上げ方向の力を受けている第三可動錠板７５の第三ロック爪７６ａ，７６ｂと前枠６の受け金具９とが係合され、自動的に前枠６の施錠が行われ」、
　　（ｃ）「前枠６の解錠はガラス枠５を開いた状態で、第三可動錠板７５を手動により第三バネ３８ｄの力に抗して押し下げることにより行う」ものである。
　　（ｄ）ここで、引用発明１は、「該角筒形の錠板ケース１２の一部と固定基枠１６の一部とを兼用することも可能であ」るから、これらを兼用する場合には、上記「第三ロック爪７６ａ，７６ｂは、錠板ケース１２の前面に形成された第三挿通長穴１２ｍ，１２ｎに通されてその錠板ケース１２の前側に突出し、」の事項は「第三ロック爪７６ａ，７６ｂは、固定基枠１６の前面、即ち取付片１７に形成された第三挿通長穴１２ｍ，１２ｎに通されてその固定基枠１６の前側に突出し、」との事項と技術的に差異は認められない。
　また、「手動により第三バネ３８ｄの力に抗して押し下げ」られる「第三可動錠板７５」が、「押し下げられる部分」即ち「操作部」を有していることは明らかである。
　さらに、引用発明１が本願発明の「前面枠内の下部に開閉可能に取付けられた前パネル」に相当する事項を備えていることは上記「第四．本願発明と引用発明１との比較・検討」における「（四−４）」の欄に記載したとおりである。
　　（ｅ）そうすると、引用発明１は本願発明の「（前記）前パネルを施錠するための２本の前パネル用鉤部材が、（該）基枠体の（該）取付板に設けたスリット孔から前方に突き出して、該基枠体の（該）支持板の下部内側に、枢支ピンにより独立して傾動可能に枢支され、該基枠体内に前パネル用鉤部材を解錠方向にのみ動かすための前パネル用作動杆が摺動可能に配設され、該前パネル用鉤部材には施錠側に付勢するコイルばねが掛止され、該前パネル用作動杆の一部に操作部が設けられ、（該）前面枠内の下部に開閉可能に取付けられた前パネル側に係止片が設けられ、該前パネル用鉤部材が該係止片に係止されて該前パネルが施錠される」と比較して、「（前記）前パネルを施錠するための２本の前パネル用鉤部材が、（該）基枠体の（該）取付板に設けたスリット孔から前方に突き出して、該基枠体の下部内側に設けられ、前パネル用鉤部材を解錠方向に動かすための前パネル用作動杆が摺動可能に配設され、該前パネル用作動杆の一部に操作部が設けられ、（該）前面枠内の下部に開閉可能に取付けられた前パネル側に係止片が設けられ、該前パネル用鉤部材が該係止片に係止されて該前パネルが施錠される」において一致する。
　　　
　したがって、両者は、　
　「　取付板と支持板を有する縦長の基枠体と、該基枠体の取付板に固定され、該基枠体内に位置する錠軸にカム板を取り付けてなるシリンダ錠と、本体枠側に固定された受け金具に係止されて前面枠を施錠する鉤部材を有し、該シリンダ錠による該カム板の一方向への回動に係合して該鉤部材を解錠方向に動かす前面枠施錠機構と、ガラス枠側の係止片に係止されて該ガラス枠を施錠する鉤部材を有し、該シリンダ錠による該カム板の他方向への回動に係合して該鉤部材を解錠方向に動かすガラス枠施錠機構と、を備え、該前面枠の内側に縦に取り付けられ、該本体枠に対し該前面枠を施錠し、該前面枠に対し該ガラス枠を施錠すると共に、該前面枠内の下部に開閉可能に取り付けられた前パネルを施錠するパチンコ機の施錠装置において、
　前記前面枠施錠機構は、基枠体に前面枠施錠用の鉤部材が設けられ、該鉤部材を解錠方向に動かすための前面枠施錠用の作動杆が該支持板に沿って摺動可能に配設され、該作動杆にはピンに係合してガイドされるガイド孔が設けられ、該作動杆の一部に前記カム板が係合可能な係合孔が設けられ、該前面枠の解錠時、該作動杆を解錠方向に移動させたとき、該鉤部材が解錠側に移動するように構成され、
　前記ガラス枠施錠機構は、基枠体の支持板にガラス枠用鉤部材が設けられ、該ガラス枠用鉤部材を解錠方向に動かすためのガラス枠用作動杆が該支持板に沿って摺動可能に配設され、該ガラス枠用作動杆にはピンに係合してガイドされるガイド孔が設けられ、該ガラス枠の解錠時、該ガラス枠用作動杆を解錠方向に移動させたとき、該ガラス枠用鉤部材が解錠側に移動するように構成され、
　前記前パネルを施錠するための２本の前パネル用鉤部材が、該基枠体の該取付板に設けたスリット孔から前方に突き出して、該基枠体の下部内側に設けられ、前パネル用鉤部材を解錠方向に動かすための前パネル用作動杆が摺動可能に配設され、該前パネル用作動杆の一部に操作部が設けられ、該前面枠内の下部に開閉可能に取付けられた前パネル側に係止片が設けられ、該前パネル用鉤部材が該係止片に係止されて該前パネルが施錠される、パチンコ機の施錠装置。」である点で一致し、次の点で相違する。
　
　相違点１　　
　前面枠施錠用の鉤部材が、本願発明では基枠体の支持板に枢支ピンにより傾動可能に枢支され、該鉤部材に設けた係合凸部には、施錠方向に付勢するコイルばねが掛止されるのに対し、引用発明１では前面枠施錠用の作動杆（第二可動錠板６５）の上部と下部とに備えられ、該前面枠施錠用の作動杆が基枠体の取付板（固定基枠１６の取付片１７に取付けられたガイド金具１９，１９）に、ガイド孔と枢支ピンとによって摺動可能に配設され、該前面枠施錠用の作動杆はコイルばねによって施錠方向に付勢される点。
　相違点２　
　前面枠施錠用の作動杆は、本願発明では枢支ピンに係合するガイド孔が設けられ、前面枠施錠用の鉤部材を解錠方向にのみ動かすためのものであり、該鉤部材の係合凸部に係合する係合部が設けられ、該係合部と該係合凸部を介して該鉤部材が回動力を受け、解錠側に傾動するように構成されているのに対し、引用発明１ではピンに係合するガイド孔が設けられ、上部と下部とに前面枠施錠用の鉤部材（第二ロック爪７０ａ，７０ｂ）を備え、該前面枠施錠用の鉤部材を解錠方向に動かす（第二バネ３８ｃの力に抗して解錠位置まで上動）とともに、施錠方向に動かす（第二バネ３８ｃによって常に引き下げ方向の力を受けることで施錠位置に保持）点。
　相違点３　
　ガラス枠用鉤部材が、本願発明では基枠体の支持板に枢支ピンにより傾動可能に枢支され、該鉤部材に設けた係合凸部には、施錠方向に付勢するコイルばねが掛止されるのに対し、引用発明１ではガラス枠用作動杆（第一可動錠板５０）の上部と下部とに備えられ、該ガラス枠用作動杆が基枠体の支持板（固定基枠１６のスライド保持片１８）に、ガイド孔と枢支ピンとによって摺動可能に配設され、該ガラス枠用作動杆はコイルばねによって施錠方向に付勢される点。
　相違点４　
　ガラス枠用作動杆は、本願発明では枢支ピンに係合するガイド孔が設けられ、ガラス枠用鉤部材を解錠方向にのみ動かすためのものであり、該ガラス枠用作動杆の一部に（前記）カム板が係合可能な係合孔が設けられ、該鉤部材の係合凸部に係合する係合部が設けられ、該係合部と該係合凸部を介して該鉤部材が回動力を受け、解錠側に傾動するように構成されているのに対し、引用発明１ではピンに係合するガイド孔が設けられ、上部と下部とにガラス枠用鉤部材（第一ロック爪５６ａ，５６ｂ）を備え、ガラス枠用作動杆を押下げる部材の一部（ハネ出しプレート４０の上部）にカム板が係合可能な係合孔が設けられ、該ガラス枠用鉤部材を解錠方向に動かす（第一バネ３８ｂの力に抗して解錠位置まで下動）とともに、施錠方向に動かす（第一バネ３８ｂによって常に引き上げ方向の力を受けている）点。
　相違点５　
　前パネル用鉤部材は、本願発明では基枠体の支持板の下部内側に、枢支ピンにより独立して傾動可能に枢支され、施錠側に付勢するコイルばねが掛止されるのに対し、引用発明１では前パネル用作動杆（第三可動錠板７５）の上部と下部とに備えられ、該前パネル用作動杆が基枠体（固定基枠１６）の下部に、ガイド孔と枢支ピンとによって摺動可能に配設され、該前パネル用作動杆はコイルばねによって施錠方向に付勢される（常に引き上げ方向の力を受けることで施錠位置に保持）点。
　相違点６　
　前パネル用作動杆は、本願発明では前パネル用鉤部材を解錠方向にのみ動かすためのものであり、基枠体内に摺動可能に配設されるのに対し、引用発明１では上部と下部とに前パネル用鉤部材（第三ロック爪７６ａ，７６ｂ）を備え、該前パネル用鉤部材を解錠方向に動かす（第三バネ３８ｄの力に抗して押し下げる）とともに、施錠方向に動かす（第三バネ３８ｄによって常に引き上げ方向の力を受けることで施錠位置に保持）ものであり、基枠体（固定基枠１６）の下部に摺動可能に配設（スライド可能に装着）される点。
　　　　
　そこで、上記相違点１乃至６について検討する。
　相違点１について
　引用発明５は、本願発明の「基枠体（枠体１３）の支持板（支持部１２）に枢支ピン（軸２４）により傾動可能に枢支（上下方向への傾動可能に支持）され、施錠方向に付勢するコイルばね（第２コイルばね３６）が係合凸部（受圧部３４）に掛止される、前面枠（前枠３）施錠用の鉤部材（第２鉤部材２３）」に相当する技術を有している。そして、パチンコ機の枠体の施解錠機構において、鉤部材と鉤部材を動かすための作動杆とを一体構造とせず別部材で構成することは、例えば引用発明２に示された「鉤部材２０と作動板１５」及び引用発明３に示された「鉤部材５、６と第１連結杆１１」のように周知・慣用の技術であるから、引用発明５に示された上記技術を引用発明１の前面枠施錠機構に適用し、相違点１に係る本願発明を特定する事項とすることは、当業者が容易になし得ることである。
　
　相違点２について　
　引用発明４は、本願発明の「枢支ピン（ガイドピン１９）に係合してガイドされるガイド孔（ガイド孔２２ａ）が設けられる、パチンコ機枠（前面盤７）施錠用の作動杆（操作片２２）」に相当する技術を有し、引用発明５は、本願発明の「前面枠施錠用の鉤部材（第２鉤部材２３）の係合凸部（受圧部３４）に係合する係合部（押圧部３３）が設けられる前面枠（前枠３）施錠用の作動杆（第２連結杆２６）を解錠方向（上方）に移動させたとき、該係合部と該係合凸部を介して（当接し）回動力を受け、解錠側に傾動（下方へ傾いたときに受け金具７から離脱）する前面枠施錠用の鉤部材（第２鉤部材２３）」に相当する技術を有している。また、引用発明３の「前面枠１が本体外枠２に押込まれることにより鉤部材５、６がばね１６ｂ、１７ｂの力で係止受部３、４にそれぞれキヤツチされ、自動的に施錠を行な」い、「シリンダ錠８に鍵を挿入し、左方向に回して、カム板１０を時計方向へ回動すると、回動したカム板１０は第１連結杆１１を上方へ摺動させ、第１連結杆１１の上下先端にそれぞれ連結された上下の鉤部材５、６はばね１６ｂ、１７ｂに抗してそれぞれ軸１６ａ、１７ａを中心に回動して係止受部３、４との係合を解除し開錠され」る技術事項は、開錠を行なう場合には第１連結杆１１側から鉤部材５、６側へ移動させる力が加えられ、施錠を行なう場合には第１連結杆１１側から鉤部材５、６側へ移動させる力が加えられることはないことを意味しているから、引用発明３は、本願発明の「前面枠施錠用の鉤部材（鉤部材５、６）を解錠方向にのみ動かすための前面枠施錠用の作動杆（第１連結杆１１）」に相当する技術を有しているといえる。そして、引用発明１及び引用発明３乃至５は「解錠方向に摺動するパチンコ機枠施錠用の作動杆が、パチンコ機枠施錠用の鉤部材を解錠させる、パチンコ機枠用の施解錠装置」において共通しており、さらに、鉤部材と鉤部材を動かすための作動杆とを一体構造とせず別部材で構成することは、上記「相違点１について」に検討したように周知・慣用の技術であることを併せ考慮すれば、引用発明１の前面枠施錠機構に引用発明３乃至５を適用し、相違点２に係る本願発明を特定する事項とすることは、当業者が容易になし得ることである。
　
　相違点３について　
　引用発明５は、本願発明の「基枠体（枠体１３）の支持板（支持部１２）に枢支ピン（軸２４）により傾動可能に枢支（上下方向への傾動可能に支持）され、施錠方向に付勢するコイルばね（第２コイルばね３６）が係合凸部（受圧部３４）に掛止される、前面枠（前枠３）施錠用の鉤部材（第２鉤部材２３）」に相当する技術を有している。そして、パチンコ機の枠体の施解錠機構において、鉤部材と鉤部材を動かすための作動杆とを一体構造とせず別部材で構成することは、上記「相違点１について」に検討したように周知・慣用の技術であり、また「前面枠用の施錠機構」と「ガラス枠の施錠機構」とが類似した機構によって構成されていることは当該技術分野においては技術常識であり、相互に適用することは当業者にとって容易であるから、引用発明５に示された上記技術を引用発明１のガラス枠用施錠機構に適用し、相違点３に係る本願発明を特定する事項とすることは、当業者が容易になし得ることである。
　
　相違点４について　
　　（ａ）まず、「該ガラス枠用作動杆の一部に（前記）カム板が係合可能な係合孔が設けられ、」の相違点（以下、「相違点４ａ」という。）について検討すると、引用発明１は「表枠３を開くには、シリンダ錠２２の解錠レバー２３をキーにより左回転させ、その解錠レバー２３の第二解錠片２３ｂが第二可動錠板６５のほぼ中央に貫設された第二作動穴７３に形成された係合段部７３ａに掛けられてその第二可動錠板６５を押上げ、第二可動錠板６５は第二バネ３８ｃの力に抗して解錠位置まで上動し、第二可動錠板６５の第二ロック爪７０ａ，７０ｂが機台枠２の受け金具７ａ，７ａから外されて、表枠３の解錠が行われ」るもの、即ち「シリンダ錠２２の第二解錠片２３ｂが第二可動錠板６５のほぼ中央に貫設された第二作動穴７３に掛けられてその第二可動錠板６５を押上げ、表枠３の解錠が行われ」るものであるから、引用発明１は本願発明の「前面枠施錠用の作動杆の一部にカム板が係合可能な係合孔が設けられ」に相当する技術を有しているといえる。そして、「前面枠用の施錠機構」と「ガラス枠の施錠機構」とが類似した機構によって構成されていることは当該技術分野においては技術常識であり、相互に適用することは当業者にとって容易であるから、引用発明１の「カム板が係合可能な係合孔が設けられる前面枠施錠用の作動杆」を「ガラス枠用作動杆」に適用し、当該相違点４ａに係る本願発明を特定する事項とすることは、当業者が容易になし得ることである。
　　（ｂ）つぎに、『「上記相違点４ａ」を除く相違点４』（以下、「相違点４ｂ」という。）について検討すると、当該相違点４ｂと上記相違点２との技術的な相違点は、上記相違点２が「前面枠」を施錠の対象としているのに対し、当該相違点４ｂは「ガラス枠」を対象としている点のみである。ここで、「前面枠用の施錠機構」と「ガラス枠の施錠機構」とが類似した機構によって構成されていることは当該技術分野においては技術常識であり、相互に適用することは当業者にとって容易であるから、上記の「本願発明２について」において記載したのと同様の理由により、引用発明１のガラス枠施錠機構に引用発明３乃至５を適用し、当該相違点４ｂに係る本願発明を特定する事項とすることは、当業者が容易になし得ることである。
　　（ｃ）そうすると、相違点４に係る本願発明を特定する事項とすることは、引用発明１及び引用発明３乃至５に基づいて当業者が容易になし得ることである。
　
　相違点５について　
　引用発明２は本願発明の「基枠体（本体枠１４）の支持板（支持板１８）に、枢支ピン（軸ピン２１，２１）により独立（縦長孔２２，２２に挿通したピン２３，２３）して傾動可能（回動自在）に枢支（枢着）され、施錠側に付勢するコイルばね（スプリング２６，２６）が掛止される鉤部材（鉤部材２０，２０）」に相当する技術を有しているといえる。そして、当該鉤部材を前パネル用鉤部材に適用することは当業者が容易になし得ることであり、また前パネル用鉤部材を基枠体の支持板のどこに設けるかは当業者が適宜なし得る設計上の事項であって、前パネルがパチンコ機の下部に位置することを考慮すれば、前パネル用鉤部材を基枠体の支持板の下部に設け、相違点５に係る本願補正発明を特定する事項とすることは、引用発明２に基づいて当業者が容易になし得ることである。
　　　
　相違点６について　
　上記「相違点２について」に記載したように、引用発明３は、本願発明の「前面枠施錠用の鉤部材を解錠方向にのみ動かすための前面枠施錠用の作動杆」に相当する技術を有しているといえる。そして、当該作動杆を前パネル用作動杆に適用することは当業者が容易になし得ることであり、また前パネル用作動杆を基枠体のどこに配設するかは当業者が適宜なし得る設計上の事項であって、引用発明１及び引用発明３は「解錠方向に摺動するパチンコ機枠施錠用の作動杆が、パチンコ機枠施錠用の鉤部材を解錠させる、パチンコ機枠用の施解錠装置」において共通しているから、引用発明１の前パネル用作動杆に引用発明３を適用し、相違点６に係る本願発明を特定する事項とすることは、当業者が容易になし得ることである。
　　　　　
　そして、本願発明による効果に格別のものは認められない。　
　　　　　　　　　　　　
第五．むすび　
　以上のとおり、本願発明は、当審の拒絶理由通知に引用された刊行物に記載された上記引用発明１乃至５に基づいて当業者が容易に発明をすることができたものであるから、本願は、特許法第２９条第２項の規定により、特許を受けることができない。
　
　よって、結論のとおり審決する。